【手続補正書】
【提出日】平成24年3月21日(2012.3.21)
【手続補正１】
【補正対象書類名】特許請求の範囲
【補正対象項目名】全文
【補正方法】変更
【補正の内容】
【特許請求の範囲】
【請求項１】
外部から番組情報を受信する受信部と、
上記受信部により受信した上記番組情報が記録され蓄積される番組情報記憶部と、
上記番組情報記憶部に蓄積された過去の番組情報に基づき、上記過去の番組情報を時系列に従って並べた電子番組表となる番組表データを生成する番組表データ生成部と、
上記番組表データに基づき上記電子番組表を表示する表示部と、
上記表示部に表示された上記電子番組表から、上記番組情報を介して再生すべき番組コンテンツを選択させる選択部と、
上記番組コンテンツを有する外部機器との間でネットワークを介しデータ通信を行う通信部と、
上記外部機器とは別に設けられた、上記番組コンテンツが記録される番組コンテンツ記憶部と、
上記番組コンテンツの記録先を管理し、上記番組コンテンツの取得要求に応じて、上記番組コンテンツ記憶部が当該番組コンテンツを記憶している場合は上記番組コンテンツ記憶部を示す記録先情報を供給し、上記番組コンテンツ記憶部が当該番組コンテンツを記憶していない場合は上記外部機器を示す記録先情報を供給する記録管理部と、
上記電子番組表から再生すべき番組コンテンツが選択されると、上記番組コンテンツの取得要求を上記記録管理部へ送出し、当該再生すべき番組コンテンツの記録先情報を上記記録管理部から取得して、当該記録先情報により示される上記番組コンテンツ記憶部又は上記外部機器から当該番組コンテンツを取得し再生する再生制御部と
を有する再生装置。
【請求項２】
上記受信部は、外部から上記番組コンテンツを受信し、
上記番組コンテンツ記憶部は、上記受信部により受信した上記番組コンテンツを記憶し、
上記番組表データ生成部は、上記番組情報記憶部に蓄積された過去及び未来の番組情報に基づき、上記過去の番組情報と上記未来の番組情報とを一体に時系列に従って並べた電子番組表となる番組表データを生成し、
上記選択部は、上記表示部に表示された上記電子番組表から、上記番組情報を介して記録すべき番組コンテンツを選択させ、
上記記録管理部は、上記番組コンテンツの記録要求に応じて、上記番組コンテンツ記憶部を示す記録先情報を供給し、
上記電子番組表から記録すべき番組コンテンツが選択されると、上記番組コンテンツの記録要求を上記記録管理部へ送出し、当該記録すべき番組コンテンツの記録先情報を上記記録管理部から取得して、当該記録先情報により示される上記番組コンテンツ記憶部へ当該番組コンテンツを送出する記録制御部
を有する請求項１に記載の再生装置。
【請求項３】
上記記録管理部は、上記番組コンテンツ記憶部への上記番組コンテンツの記録状況を管理し、
上記番組表データ生成部は、上記番組コンテンツの記録状況を上記記録管理部から取得し、上記電子番組表の上記番組情報と対応付けて上記番組コンテンツの記録状況を表す上記番組表データを生成する
請求項２に記載の再生装置。
【請求項４】
上記番組表データ生成部は、上記電子番組表において、上記番組コンテンツ記憶部に対する記録が完了した上記番組コンテンツを示す上記番組情報と対応付けて記録完了マークを表した上記番組表データを生成する
請求項３に記載の再生装置。
【請求項５】
上記番組表データ生成部は、上記電子番組表において、上記選択部により記録を選択された番組コンテンツであって上記番組コンテンツ記憶部への記録が開始されていない番組コンテンツを示す上記番組情報と対応付けて、記録待機中マークを表した上記番組表データを生成する
請求項３に記載の再生装置。
【請求項６】
上記番組表データ生成部は、上記電子番組表において、上記選択部により記録を選択された番組コンテンツであって上記番組コンテンツ記憶部へ記録中の番組コンテンツを示す上記番組情報と対応付けて、記録中マークを表した上記番組表データを生成する
請求項３に記載の再生装置。
【請求項７】
上記記録中マークは、上記番組コンテンツの総記録時間に対する記録完了時間の割合を表す
請求項６に記載の再生装置。
【請求項８】
上記記録管理部は、上記番組コンテンツ記憶部の上記番組コンテンツの記録状況を管理し、
上記番組表データ生成部は、上記番組コンテンツの記録状況を上記記録管理部から取得し、上記電子番組表において、上記番組コンテンツ記憶部に記憶された上記番組コンテンツを示す上記番組情報と対応付けて記録完了マークを表した上記番組表データを生成する
請求項１に記載の再生装置。
【請求項９】
上記番組コンテンツ記憶部は、ネットワークを介し接続された他の外部機器に設けられている
請求項１に記載の再生装置。
【請求項１０】
外部から所定の受信部により番組情報を受信する受信ステップと、
上記受信ステップにおいて受信した上記番組情報を所定の番組情報記憶部により記録し蓄積する番組情報記憶ステップと、
上記番組情報記憶ステップにおいて蓄積された過去の番組情報に基づき、上記過去の番組情報を時系列に従って並べた電子番組表となる番組表データを所定の番組表データ生成部により生成する番組表データ生成ステップと、
上記番組表データに基づき所定の表示部により上記電子番組表を表示する表示ステップと、
上記表示ステップにおいて表示された上記電子番組表から、上記番組情報を介して再生すべき番組コンテンツを所定の選択部により選択させる選択ステップと、
上記番組コンテンツを有する外部機器との間でネットワークを介し所定の通信部によりデータ通信を行う通信ステップと、
上記外部機器とは別に設けられた所定の番組コンテンツ記憶部により上記番組コンテンツを記録する番組コンテンツ記憶ステップと、
上記番組コンテンツの記録先を管理し、上記番組コンテンツの取得要求に応じて、上記番組コンテンツ記憶部が当該番組コンテンツを記憶している場合は上記番組コンテンツ記憶部を示す記録先情報を供給し、上記番組コンテンツ記憶部が当該番組コンテンツを記憶していない場合は上記外部機器を示す記録先情報を所定の記録管理部により供給する記録管理ステップと、
上記電子番組表から再生すべき番組コンテンツが選択されると、所定の再生制御部により上記番組コンテンツの取得要求を上記記録管理部へ送出し、当該再生すべき番組コンテンツの記録先情報を上記記録管理部から取得して、当該記録先情報により示される上記番組コンテンツ記憶部又は上記外部機器から当該番組コンテンツを取得し再生する再生制御ステップと
を有する再生方法。
【請求項１１】
放送された番組コンテンツを記憶する記憶部と、
上記記憶部を有する機器と番組コンテンツの再生を行う再生装置との間でネットワークを介してデータ通信を行い、上記機器から上記再生装置へ上記番組コンテンツを送信する放送局制御部と、
上記機器とは別に設けられた、上記番組コンテンツが記録される番組コンテンツ記憶部と、
上記機器を示す記録先情報を供給する記録管理部と
を有するサーバ。
【請求項１２】
放送された番組コンテンツを所定の記憶部により記憶する記憶ステップと、
上記記憶部を有する機器と番組コンテンツの再生を行う再生装置との間でネットワークを介してデータ通信を行い、所定の放送局制御部により上記機器から上記再生装置へ上記番組コンテンツを送信する放送局制御ステップと、
上記機器とは別に設けられた、所定の番組コンテンツ記憶部により上記番組コンテンツを記録する番組コンテンツ記憶ステップと、
所定の記録管理部により上記機器を示す記録先情報を供給する記録管理ステップと
を有する番組コンテンツ提供方法。
【請求項１３】
放送された番組コンテンツを記憶する記憶部と、
番組コンテンツの再生を行う再生装置とネットワークを介してデータ通信を行い、上記再生装置へ上記番組コンテンツを送信する放送局制御部と
を有する放送局サーバと、
外部から番組情報を受信する受信部と、
上記受信部により受信した上記番組情報が記録され蓄積される番組情報記憶部と、
上記番組情報記憶部に蓄積された過去の番組情報に基づき、上記過去の番組情報を時系列に従って並べた電子番組表となる番組表データを生成する番組表データ生成部と、
上記番組表データに基づき上記電子番組表を表示する表示部と、
上記表示部に表示された上記電子番組表から、上記番組情報を介して再生すべき番組コンテンツを選択させる選択部と、
上記番組コンテンツを有する放送局サーバとの間でネットワークを介しデータ通信を行う通信部と、
上記放送局サーバとは別に設けられた、上記番組コンテンツが記録される番組コンテンツ記憶部と、
上記番組コンテンツの記録先を管理し、上記番組コンテンツの取得要求に応じて、上記番組コンテンツ記憶部が当該番組コンテンツを記憶している場合は上記番組コンテンツ記憶部を示す記録先情報を供給し、上記番組コンテンツ記憶部が当該番組コンテンツを記憶していない場合は上記放送局サーバを示す記録先情報を供給する記録管理部と、
上記電子番組表から再生すべき番組コンテンツが選択されると、上記番組コンテンツの取得要求を上記記録管理部へ送出し、当該再生すべき番組コンテンツの記録先情報を上記記録管理部から取得して、当該記録先情報により示される上記番組コンテンツ記憶部又は上記放送局サーバから当該番組コンテンツを取得し再生する再生制御部と
を有する再生装置と
を有する番組コンテンツ送受信システム。
【手続補正２】
【補正対象書類名】明細書
【補正対象項目名】発明の名称
【補正方法】変更
【補正の内容】
【発明の名称】再生装置、再生方法、サーバ、番組コンテンツ提供方法及び番組コンテンツ送受信システム
【手続補正３】
【補正対象書類名】明細書
【補正対象項目名】０００１
【補正方法】変更
【補正の内容】
【０００１】
本発明は再生装置、再生方法、サーバ、番組コンテンツ提供方法及び番組コンテンツ送受信システムに関し、例えば複数の番組コンテンツ記憶先を有すると共に、電子番組表を表示可能なテレビジョン装置に適用して好適なものである。
【手続補正４】
【補正対象書類名】明細書
【補正対象項目名】０００７
【補正方法】変更
【補正の内容】
【０００７】
本発明は以上の点を考慮してなされたもので、複数の番組コンテンツ記録先を有する再生装置において、番組コンテンツを容易に選択し得る再生装置、再生方法、サーバ、番組コンテンツ提供方法及び番組コンテンツ送受信システムを提案しようとするものである。
【手続補正５】
【補正対象書類名】明細書
【補正対象項目名】００１５
【補正方法】変更
【補正の内容】
【００１５】
＜１．実施の形態＞
［１−１．番組コンテンツ送受信システムの全体構成］
図１に示すように、本発明の一実施の形態としての番組コンテンツ送受信システム１は、主にテレビジョン装置１０、録画管理サーバ１１、放送局コンテンツサーバ１２及びユーザコンテンツサーバ１３により構成されている。
【手続補正６】
【補正対象書類名】明細書
【補正対象項目名】００６２
【補正方法】変更
【補正の内容】
【００６２】
因みに、テレビジョン装置１０がユーザ操作によりテレビジョン放送信号の受信指示を受けたときは、制御部２０の制御に基づきアンテナ２３を介してテレビジョン放送信号を受信し、切替スイッチ２７をＡＶデコーダ３２に切り替えることで、当該テレビジョン放送信号に基づく番組コンテンツを再生し、ディスプレイ３５に表示させる。このときも制御部２０は、取得したＥＰＧデータＤＥ及びメタデータＤＭを不揮発性メモリ２１に記録して蓄積していく。
【手続補正７】
【補正対象書類名】明細書
【補正対象項目名】００６８
【補正方法】変更
【補正の内容】
【００６８】
電子番組表１００には番組コンテンツに関する情報が番組情報表示欄ＳＰＧ１及びＳＰＧ２として表示され、他の番組コンテンツについても同様に表示されている。以下、番組情報表示欄ＳＰＧ１及びＳＰＧ２により示される番組を番組ＰＧ１及びＰＧ２と呼ぶ。
【手続補正８】
【補正対象書類名】明細書
【補正対象項目名】００７０
【補正方法】変更
【補正の内容】
【００７０】
ここでユーザ操作により電子番組表１００から所定の番組情報表示欄ＳＰＧが選択されると、制御部２０は当該番組情報表示欄ＳＰＧによる示される番組ＰＧが指定されたと認識する。電子番組表１００から所定の番組情報表示欄ＳＰＧが選択され、さらに録画予約が行われると、制御部２０は当該録画予約が行われた番組の放送開始時刻まで録画を待機する。因みにユーザが録画予約を行う際、ビットレートや解像度等を指定することも可能であり、それらの情報は番組ＩＤと対応付けて不揮発性メモリ２１に記録される。
【手続補正９】
【補正対象書類名】明細書
【補正対象項目名】００９７
【補正方法】変更
【補正の内容】
【００９７】
ステップＳＰ２０においてテレビジョン装置１０の制御部２０は、ユーザ操作により電子番組表１００から所定の番組情報表示欄ＳＰＧが選択された上で番組ＰＧの再生指示があったか否かを判定する。ここで否定結果が得られると、制御部２０はステップＳＰ２０に戻り、再びユーザからの番組ＰＧの再生指示を待ち受ける。
【手続補正１０】
【補正対象書類名】明細書
【補正対象項目名】０１３０
【補正方法】変更
【補正の内容】
【０１３０】
この結果テレビジョン装置１０の制御部２０は、放送局コンテンツサーバ１２にアクセスしＡＶデータＤＡＶを受信することにより、当該ＡＶデータＤＡＶに基づく番組コンテンツをストリーミング再生するようになされている。
【手続補正１１】
【補正対象書類名】明細書
【補正対象項目名】０１８２
【補正方法】変更
【補正の内容】
【０１８２】
１……番組コンテンツ送受信システム、１０……テレビジョン装置、１１……録画管理サーバ、１２……放送局コンテンツサーバ、１３……ユーザコンテンツサーバ、２０……制御部、２１……不揮発性メモリ、２２……操作部、２３……アンテナ、２４……チューナ、２５……デスクランブラ、２６……デマルチプレクサ、２７……切替スイッチ、２８……マルチプレクサ、２９……ネットワーク処理部、３０……バッファ、３１……ルータ、３２……ＡＶデコーダ、３３……ＡＶエンコーダ、３４……表示制御部、３５……ディスプレイ、１００……電子番組表、ＳＰＧ……番組情報表示欄、ＰＰ……番組画像、ＰＤ……番組内容解説、ＲＭ……録画完了マーク、ＲＢ……録画ステータスバー、ＲＳ……録画ステータス。